(57)【要約】【課題】簡単な構成を有するとともに、周波数帯域の異なる受信信号を合成し出力できる受信装置を提供する。【解決手段】複数個のチューナ部１、２それぞれと接続するループスルー回路３は、複数個のチューナ部１、２のうち少なくとも１個のチューナ部１又は２と接続する入力部３Ａ又は３Ｂと接合部３５との間に、チューナ部１又は２から入力される信号を透過することができるとともに、これ以外のチューナ部１又は１から入力される信号が通過するのを抑制する信号規制手段３１、３２、３３、３４を備えている。【選択図】図２
2015023432.tif 000002
【特許請求の範囲】
【請求項１】
互いに重ならない周波数帯域の信号を受信するとともに、前記信号を分岐することができる複数個のチューナ部と、
前記複数個のチューナ部で分岐された信号を合成し外部に出力するループスルー回路とを備えた、受信装置であって、
ループスルー回路は、前記複数個のチューナ部それぞれと接続し、前記各チューナ部から分岐した信号が入力される複数個の入力部と、一端が前記複数の入力部それぞれと接続した複数個の信号線と、前記複数個の信号線の他端をまとめて接合する接合部と、前記接合部からの合成信号を出力する出力部とを備え、
前記ループスルー回路は、前記複数個の信号線の少なくとも一つに、入力部側からの信号を通過することができるとともに、接続部側からの信号の通過を抑制する信号規制手段を備えていることを特徴とする受信装置。
【請求項２】
前記信号規制手段は、前記通過する信号を含む帯域の信号を通過させるフィルタ手段を含む請求項１に記載の受信装置。
【請求項３】
前記信号規制手段は、前記通過する信号を含む帯域の信号のゲイン調整を行うゲイン調整手段を含む請求項１又は請求項２に記載の受信装置。
【請求項４】
前記信号規制手段と前記接合部との間に、接続されているチューナ部で受信される信号の周波数帯域とは異なる周波数帯域に対してハイインピーダンスとなるような回路を備えている請求項１から請求項３のいずれかに記載の受信装置。
【請求項５】
前記ループスルー回路は、前記接合部と前記出力部との間の部分に合成された信号のゲインを調整するゲイン調整手段を備えている請求項１から請求項４に記載の受信装置。
【発明の詳細な説明】
【技術分野】
【０００１】
本発明は、放送信号を外部機器に転送するループスルー回路を備えた受信装置に関する。
【背景技術】
【０００２】
地上放送とＢＳ／ＣＳ放送を受信する受信装置が普及している。このような受信装置では、地上放送の信号線とＢＳ／ＣＳ放送の信号線とをまとめる（一軸化する）ものが知られている（例えば、特許文献１等参照）。
【０００３】
上記特許文献１には、地上放送信号受信アンテナからの受信波と、パラボラアンテナ及びＬＮＢ（Ｌｏｗ  Ｎｏｉｓｅ  Ｂｌｏｃｋ  Ｃｏｎｖｅｒｔｅｒ）からのＢＳ／ＣＳ放送の受信波とを混合器で混合して１つの同軸ケーブルを介して伝達する構成が開示されている。また、特許文献１のチューナは、入力端子から入力した混合信号を分岐し、一方はローパスフィルタ又はハイパスフィルタを介して地上チューナ部、ＢＳ／ＣＳ放送チューナ部に入力している。そして、分岐された混合信号の他方は、混合信号のまま出力端子に送られ、外部の出力端子に送られているものを開示している。
【先行技術文献】
【特許文献】
【０００４】
【特許文献１】特開２００９−１１８０５６号公報
【発明の概要】
【発明が解決しようとする課題】
【０００５】
しかしながら、上記特許文献１は地上放送の受信波とＢＳ／ＣＳ放送の受信波とを混合するための混合器をチューナの外部に備えており、この混合器をチューナ等の受信装置に組み込むと受信装置が大型化してしまう問題がある。また、混合器を組み込むことで、受信装置の構成が複雑になり、製造コストが増大してしまう問題がある。
【０００６】
この発明は、上記のような課題を解決するためになされたものであり、この発明の１つの目的は、簡単な構成を有するとともに、周波数帯域の異なる受信信号を合成し出力できる受信装置を提供することである。
【課題を解決するための手段】
【０００７】
この発明の一の局面による受信装置は、互いに重ならない周波数帯域の信号を受信するとともに、前記信号を分岐することができる複数個のチューナ部と、前記複数個のチューナ部で分岐された信号を合成し外部に出力するループスルー回路とを備え、ループスルー回路は、前記複数個のチューナ部それぞれと接続し、前記各チューナ部から分岐した信号が入力される複数個の入力部と、前記入力部からの信号線を接合する接合部と、前記接合部からの合成信号を出力する出力部とを備え、ループスルー回路は、前記複数個のチューナ部それぞれと接続し、前記各チューナ部から分岐した信号が入力される複数個の入力部と、一端が前記複数の入力部それぞれと接続した複数個の信号線と、前記複数個の信号線の他端をまとめて接合する接合部と、前記接合部からの合成信号を出力する出力部とを備え、前記ループスルー回路は、前記複数個の信号線の少なくとも一つに、入力部側からの信号を通過することができるとともに、接続部側からの信号の通過を抑制する信号規制手段を備えている構成である。この構成によると、異なる周波数帯域の信号を複雑な構成の混合器を用いることなく合成することができる。これにより、受信装置を小型、低コスト化することが可能である。また、小型、低コストであることから、合成信号を出力する機器のチューナユニットとしても利用できる。
【０００８】
この発明の一の局面による受信装置において、好ましくは、前記信号規制手段が、前記通過する信号を含む帯域の信号を通過させるフィルタ手段を含む構成である。フィルタ手段を利用することで、簡単な回路構成を有するとともに、チューナ部に他のチューナ部からの信号による影響が及ぶことを抑制することが可能である。
【０００９】
この発明の一の局面による受信装置において、好ましくは、前記信号規制手段が、前記通過する信号を含む帯域の信号のゲイン調整を行うゲイン調整手段を含む構成である。この構成によると、ゲイン調整手段によって信号の出力を減衰させるため、チューナ部とループスルー部とのアイソレーション特性を高めることができる。これにより、他のチューナ部からの信号によるチューナへの影響を低減することが可能である。また、ゲイン調整手段は、反射信号の出力も減衰させるため、チューナ部からの信号の反射による影響も低減することができる。なお、ゲイン調整手段としては、アッテネータ回路を挙げることができる。
【００１０】
この発明の一の局面による受信装置において、好ましくは、前記信号規制手段と前記接合部との間に、接続されているチューナ部で受信される信号の周波数帯域とは異なる周波数帯域に対してハイインピーダンスとなるような回路を備えている構成としている。この構成によると、チューナ部で受信される信号は通過するが、その信号の信号帯域以外の信号の通過を抑制する。そのため、チューナ部で発生した不要信号を効果的にカットすることができる。また、ハイインピーダンスとなるような回路は、通過可能な周波数帯域以外の帯域では、信号を反射するため、他のチューナ部からの信号は反射される。そのため、他のチューナ部からの信号の出力の減衰を抑制することができる。ハイインピーダンスとなるような回路として、移相器、マッチング回路等を挙げることができる。
【００１１】
この発明の一の局面による受信装置において、好ましくは、前記ループスルー回路は、前記接合部と前記出力部との間の部分に合成された信号のゲインを調整するゲイン調整手段を備えている構成としている。この構成によると、合成された信号の出力を外部機器に対応した出力レベルとすることが可能である。
【発明の効果】
【００１２】
本発明によると、簡単な構成を有するとともに、周波数帯域の異なる受信信号を合成し出力できる受信装置を提供することができる。
【図面の簡単な説明】
【００１３】
【図１】本発明にかかる受信装置の一例の構成を示すブロック図である。
【図２】ループスルー回路の一例を示す回路図である。
【図３Ａ】衛星チューナ部で分岐された衛星放送信号の概略図である。
【図３Ｂ】衛星放送用アッテネータ回路を通過した後の衛星放送信号の概略図である。
【図３Ｃ】第２ハイパスフィルタを通過した後の衛星放送信号の概略図である。
【図４Ａ】地上チューナ部で分岐された地上放送信号の概略図である。
【図４Ｂ】地上放送用アッテネータ回路を通過した後の地上放送信号の概略図である。
【図４Ｃ】第２ローパスフィルタを通過したのちの地上放送信号の概略図である。
【図５Ａ】衛星放送信号と地上放送信号とを合成した合成信号の概略図である。
【図５Ｂ】出力用アッテネータ回路を通過した合成信号の概略図である。
【図６】本発明にかかる受信装置の他の例を示すブロック図である。
【図７】図６に示す受信装置で出力される合成信号を示す概略図である。
【図８】本発明にかかる受信装置を利用した機器の一例であるセットトップボックスの概略図である。
【発明を実施するための形態】
【００１４】
以下に本発明の実施形態について図面を参照して説明する。
（第１実施形態）
図１は本発明にかかる受信装置の一例の構成を示すブロック図である。図１に示す受信装置Ａは、ＢＳ／ＣＳ放送（以下衛星放送と称する）の信号と、地上放送の信号とを受信し、地上放送の信号と衛星放送の信号とを合成し、外部の機器に出力する（ループスルー出力する）チューナユニットである。
【００１５】
衛星放送信号は、地上放送信号の周波数（例えば、約９０ＭＨｚ〜約８００ＭＨｚ）よりも高周波数（例えば、約９００ＭＨｚ〜約２．１ＧＨｚ）である。そのため、衛星放送の周波数帯域に対応したバンドパスフィルタをハイパスフィルタ、地上放送の周波数帯域に対応したバンドパスフィルタをローパスフィルタとして区別する。
【００１６】
図１に示すように、受信装置Ａは、衛星放送を受信する衛星チューナ部１と、地上放送を受信する地上チューナ部２と、ループスルー回路３を備えている。衛星チューナ部１は、衛星放送入力部１１と、衛星放送フィルタ１２と、アンプ１３と、衛星放送分配器１４と、衛星チューナ１５と、衛星放送出力部１６とを備えている。
【００１７】
衛星放送入力部１１は、受信装置Ａの外部に配置されている衛星アンテナに接続され、衛星アンテナからの信号が入力される入力端子を有している。なお、衛星放送入力部１１としては、同軸ケーブルが接続可能なＦ型コネクタを備えるものを挙げることができるが、これに限定されるものではない。
【００１８】
衛星放送フィルタ１２は、衛星アンテナからの信号のうち、衛星放送の周波数帯域の信号（衛星放送信号）を通過させるバンドパスフィルタ（ハイパスフィルタ）である。アンプ１３は、衛星放送フィルタ１２を通過した衛星放送信号を増幅する回路である。アンプ１３を通過した衛星放送信号は衛星放送分配器１４に入力する。衛星放送分配器１４は、入力した衛星放送信号を２つに分配（分波）するための分配回路である。衛星放送分配器１４の出力端の一方（第１端子１４１とする）は、衛星チューナ１５に接続しており、衛星放送信号を衛星チューナ１５に送る。また、衛星放送分配器１４の出力端の他方（第２端子１４２とする）はループスルー回路３に接続されている。
【００１９】
衛星チューナ１５は、衛星放送の放送信号を復調、復号化する。衛星チューナ１５で復調、復号化された信号は、衛星放送出力部１６から出力される。
【００２０】
地上チューナ部２は、地上放送入力部２１と、地上放送フィルタ２２と、アンプ２３と、地上放送分配器２４と、地上チューナ２５と、地上放送出力部２６とを備えている。
【００２１】
地上放送入力部２１は、受信装置Ａの外部に配置されている地上アンテナに接続され、地上アンテナからの信号が入力される入力端子を有している。なお、地上放送入力部２１としては、同軸ケーブルが接続可能なＦ型コネクタを備えるものを挙げることができるが、これに限定されるものではない。
【００２２】
地上放送フィルタ２２は、地上アンテナからの信号のうち、地上放送の周波数帯域の信号（地上放送信号）を通過させるバンドパスフィルタ（ローパスフィルタ）である。アンプ２３は、地上放送フィルタ２２を通過した地上放送信号を増幅する回路である。アンプ２３を通過した地上放送信号は地上放送分配器２４に入力する。地上放送分配器２４は、入力した地上放送信号を２つに分配（分波）するための分配回路である。地上放送分配器２４の出力端の一方（第１端子２４１とする）は、地上チューナ２５に接続しており、地上放送信号を地上チューナ２５に送る。また、地上放送分配器２４の出力端の他方（第２端子２４２とする）はループスルー回路３に接続されている。
【００２３】
地上チューナ２５は、地上放送の放送信号を復調、復号化する。衛星チューナ２５で復調、復号化された信号は、地上放送出力部２６から出力される。
【００２４】
次に本発明にかかる受信装置の要部であるループスルー回路３の詳細について説明する。図２はループスルー回路の一例を示す回路図である。図２に示す回路では、衛星チューナ部１及び地上チューナ部２は従来よく知られたチューナ部の回路構成であるため、ブロックで示している。
【００２５】
ループスルー回路３は、受信装置Ａで受信した信号（衛星放送信号及び地上放送信号）を、衛星放送出力部１６及び地上放送出力部２６が接続されている機器とは異なる外部機器に対して合成信号を出力するものである。ループスルー回路３は、ループスルー出力部３０を備えている。なお、ループスルー出力部３０としては、衛星放送入力部１１及び地上放送入力部２１と同様、同軸ケーブルを接続可能なＦ型コネクタを備えているものを挙げることができるが、これに限定されるものではない。
【００２６】
ループスルー回路３は、衛星放送用アッテネータ回路３１（ゲイン調整手段）と、第２ハイパスフィルタ３２（フィルタ手段）と、地上放送用アッテネータ回路３３（ゲイン調整手段）と、第２ローパスフィルタ３４（フィルタ手段）と、出力用アッテネータ回路３６（ゲイン調整手段）とを備えている。
【００２７】
以下、衛星放送用アッテネータ回路３１と第２ハイパスフィルタ３２とを含む回路を第１回路部３Ａとし、地上放送用アッテネータ回路３３と第２ローパスフィルタ３４とを含む回路を第２回路部３Ｂとして説明する。
【００２８】
図１に示すように、ループスルー回路３では、衛星放送用アッテネータ回路３１と、第２ハイパスフィルタ３２とが直列に接続されている。また、地上放送用アッテネータ回路３３と第２ローパスフィルタ３４とも直列に接続されている。そして、第２ハイパスフィルタ３２と第２ローパスフィルタ３４とが接合部３５で接続されている。さらに、接合部３５と出力用アッテネータ回路３６が接続されており、出力用アッテネータ回路３６の接合部３５と反対側は、ループスルー出力部３０と接続されている。
【００２９】
図１に示すように、衛星放送用アッテネータ回路３１と、第２ハイパスフィルタ３２は直列に接続されている。そして、衛星放送用アッテネータ回路３１は、衛星チューナ部１の衛星放送分配器１４の第２端子１４２と接続されている。衛星放送用アッテネータ回路３１は、衛星放送分配器１４で分配され、第２端子１４２から出力された、衛星放送信号のゲインを調整する（出力を抑える）回路である。
【００３０】
図２に示すように、衛星放送用アッテネータ回路３１は、３個の抵抗器Ｒ３１１、Ｒ３１２、Ｒ３１３を有している。衛星放送用アッテネータ回路３１は、抵抗器Ｒ３１１を衛星チューナ部１と第２ハイパスフィルタ３２と直列となるように接続している。そして、抵抗器Ｒ３１２の一方の端子は抵抗器Ｒ３１１の衛星チューナ部１と接続している端子と接続し、他方の端子が接地されている。また、抵抗器Ｒ３１３の一方の端子は抵抗器Ｒ３１１の第２ハイパスフィルタ３２と接続している端子と接続し、他方の端子は接地されている。衛星放送用アッテネータ回路３１は、いわゆる、π型のアッテネータ回路である。衛星放送用アッテネータ回路３１は、抵抗器Ｒ３１１、Ｒ３１２、Ｒ３１３の抵抗値を調整することで、通過する信号の減衰率を調整し、衛星放送信号のゲインを調整する。
【００３１】
図１に示すように、第２ハイパスフィルタ３２は、衛星放送用アッテネータ回路３１からの衛星放送用信号のうち衛星放送の周波数帯域の信号を通過させる。以上のように、衛星放送用アッテネータ回路３１及び第２ハイパスフィルタ３２を用いることで、衛星チューナ部１からループスルー回路３に混入した不要な周波数帯域の信号が接合部３５に入力されるのを抑制する。また、第２ハイパスフィルタ３２は、地上放送信号を反射する特性を有している。
【００３２】
図２に示すように、第２ハイパスフィルタ３２は、直列に接続された３個のコンデンサＣ３２１、Ｃ３２２、Ｃ３２３と、２個のコイルＬ３２１、Ｌ３２２と、コイルＬ３２２と直列に接続されたコンデンサＣ３２４とを有している。コイルＬ３２１はコンデンサＣ３２１とＣ３２２との接続点に接続され、反対側が接地されている。さらにコイルＬ３２２とコンデンサＣ３２４とは直列に接続されており、コイルＬ３２２がコンデンサＣ３２２とＣ３２３との接続点に接続されているとともに、コンデンサＣ３２４が接地されている。第２ハイパスフィルタ３２では、コンデンサＣ３２１、Ｃ３２２、Ｃ３２３、Ｃ３２４及びコイルＬ３２１、Ｌ３２２を適切に設定することで、通過できる信号を衛星放送信号に制限している。
【００３３】
図１に示すように、地上放送用アッテネータ回路３３と、第２ローパスフィルタ３４は直列に接続されている。そして、地上放送用アッテネータ回路３３は、地上チューナ部２の地上放送分配器２４の第２端子２４２と接続されている。地上放送用アッテネータ回路３３は、衛星放送分配器２４で分配され、第２端子２４２から出力された、衛星放送信号のゲインを調整する（出力を抑える）回路である。
【００３４】
図２に示すように、地上放送用アッテネータ回路３３は、衛星放送用アッテネータ回路３１と同様、３個の抵抗器Ｒ３３１、Ｒ３３２、Ｒ３３３をπ型に接続した回路構成を有している。そして、地上放送用アッテネータ回路３３も、衛星放送用アッテネータ回路３１と同様、抵抗器Ｒ３３１、Ｒ３３２、Ｒ３３３の抵抗値を調整することで、減衰率を調整し、地上放送信号の出力を調整する。
【００３５】
なお、衛星放送信号及び地上放送信号の出力のバランスが合うように、衛星放送用アッテネータ回路３１の３個の抵抗器の抵抗値及び地上放送用アッテネータ回路３３の３個の抵抗器の抵抗値は決定されている。
【００３６】
第２ローパスフィルタ３４は、地上放送用アッテネータ回路３３からの地上放送用信号のうち地上放送の周波数帯域の信号を通過させる。以上のように、地上放送用アッテネータ回路３３及び第２ローパスフィルタ３４を用いることで、地上チューナ部２にループスルー回路３から混入した不要な周波数帯域の信号が接合部３５に入力されるのを抑制する。また、第２ローパスフィルタ３４は、衛星放送信号を反射する特性を有している。
【００３７】
第２ローパスフィルタ３４は、直列に接続されたコイルＬ３４１、Ｌ３４２と、２個のコンデンサＣ３４１、Ｃ３４２とを備えている。コンデンサＣ３４１の一方の端子は、コイルＬ３４１と地上放送用アッテネータ回路３３との接続点に接続されるとともに、他方の端子は接地されている。また、コンデンサＣ３４２の一方の端子は、コイルＬ３４１とＬ３４２との接続点に接続されているとともに、他方の端子は接地されている。第２ローパスフィルタ３４では、コイルＬ３４１、Ｌ３４２、コンデンサＣ３４１、Ｃ３４２を適切に設定することで、通過できる信号を地上放送信号に制限している。
【００３８】
接合部３５は、第２ハイパスフィルタ３２の衛星放送信号が出力される端子と、第２ローパスフィルタ３４の地上放送信号が出力される端子とが接続される接続点である。換言すると、第２ハイパスフィルタ３２と第２ローパスフィルタ３４とが、接合部３５を介して直列に接続されている。
【００３９】
ループスルー回路３では、接合部３５が配線の接続点であるため、第１回路部３Ａから入力された衛星放送信号は、第２回路部３Ｂ側に流入するようになっている。また、逆に第２回路部３Ｂから入力された地上放送信号は、第１回路部３Ａに流入するようになっている。
【００４０】
第１回路部３Ａからの衛星放送信号と第２回路部３Ｂからの地上放送信号は接合部３５で合成される。上述しているとおり、衛星放送の周波数帯域（９００ＭＨｚ〜２．１ＧＨｚ）は、地上放送の周波数帯域（９０ＭＨｚ〜８００ＭＨｚ）に比べて高周波である。そのため、接合部３５に信号を合成するための特別な回路を用いなくても、衛星放送信号と地上放送信号とを合成した合成信号を得ることが可能となっている。なお、ループスルー回路３では、第１回路部３Ａの衛星放送用アッテネータ回路３１と、第２回路部３Ｂの地上放送用アッテネータ回路３３を用いることで、接合部３５で合成される衛星放送信号と地上放送信号の出力のバランスを調整している。
【００４１】
上述したように、接合部３５は配線が接続された接続点であり、接合部３５には、出力用アッテネータ回路３６が接続されている（図２参照）。出力用アッテネータ回路３６は、衛星放送用アッテネータ回路３１、地上放送用アッテネータ回路３３同様、３個の抵抗器Ｒ３６１、Ｒ３６２、Ｒ３６３をπ型に接続した回路構成を有している。なお、衛星放送用アッテネータ回路３１及び地上放送用アッテネータ回路３３で、衛星放送信号及び地上放送信号のゲイン調整を行うことで、合成信号の出力を所定の出力とすることができる場合、出力用アッテネータ回路３６は省略してもよい。しかしながら、ループスルー出力部３０（すなわち、外部機器）と、ループスルー回路３とのアイソレーション特性を改善するため、出力用アッテネータ回路３６は取り付けられていることが好ましい。
【００４２】
ループスルー回路３を上述のような構成とすることで、接合部３５として、信号を合成する特殊な回路を用いることなく、すなわち、配線を接続しただけの構成で、合成信号を生成することができる。接合部３５で合成された合成信号は、出力用アッテネータ回路３６でゲイン調整された後、ループスルー出力部３０より外部機器に出力（ループスルー出力）される。
【００４３】
ループスルー回路３では、接合部３５が配線を接続しただけの構成であるため、第１回路部３Ａに第２回路部３Ｂからの地上放送信号が入力されることがある。上述しているように、地上放送信号は、衛星放送信号よりも周波数が低く、衛星チューナ部１には不要な信号である。ループスルー回路３の第１回路部３Ａは、接合部３５を介して第２ハイパスフィルタ３２に接続されているため、第１回路部３Ａに入力された地上放送信号は、第２ハイパスフィルタ３２に入力される。
【００４４】
第２ハイパスフィルタ３２は、衛星放送信号の周波数帯の信号を通過させるためのハイパスフィルタであり、周波数が低い地上放送信号に対しては、阻止回路として作用する。そのため、第２回路３Ｂから第１回路部３Ａに入力された地上放送信号は、第２ハイパスフィルタ３２によってカット又は反射される。また、第１回路部３Ａには、衛星放送用アッテネータ回路３１が備えられているため、ループスルー回路３の第２回路部３Ｂと衛星チューナ部１とのアイソレーション特性を改善している。そのため、衛星放送用アッテネータ回路３１は、通過する不要信号をカットする。
【００４５】
これにより、第１回路部３Ａでは、衛星放送用アッテネータ回路３１によって、衛星チューナ部１への不要信号の影響を低減することができる。なお、第１回路部３Ａにおける不要信号としては、地上放送信号、第２ハイパスフィルタ３２で反射し衛星放送用アッテネータ回路３１に入力される信号等を挙げることができる。また、衛星放送用アッテネータ回路３１によって、衛星チューナ部１の回路での反射等によって発生した不要信号も減衰されるので、このような不要信号による地上チューナ部２への影響も抑制される。
【００４６】
同様に、第２回路部３Ｂに第１回路部３Ａからの衛星放送信号が入力されることがある。上述しているように、衛星放送信号は、地上放送信号よりも周波数が高く、地上チューナ部２には不要な信号である。ループスルー回路３の第２回路部３Ｂは、接合部３５を介し第２ローパスフィルタ３４に接続されているため、第２回路部３Ｂに入力された衛星放送信号は、第２ローパスフィルタ３４に入力される。
【００４７】
第２ローパスフィルタ３４は、地上放送信号の周波数帯の信号を通過させるためのローパスフィルタであり、周波数が高い衛星放送信号に対しては、阻止回路として作用する。そのため、第１回路３Ａから第２回路部３Ｂに入力された衛星放送信号は、第２ローパスフィルタ３４によってカット又は反射される。また、第２回路部３Ｂには、地上放送用アッテネータ回路３３が備えられているため、ループスルー回路３の第２回路部３Ｂと地上チューナ部２とのアイソレーション特性が改善される。そのため、地上放送用アッテネータ回路３３は、通過する不要信号をカットする。
【００４８】
以上のことから、第２回路部３Ｂでは、地上放送用アッテネータ回路３３によって、地上チューナ部２への不要信号の影響を低減することができる。なお、第２回路部３Ｂにおける不要信号としては、衛星放送信号、第２ローパスフィルタ３４で反射し、地上放送用アッテネータ回路３３に入力される信号等を挙げることができる。また、地上放送用アッテネータ回路３３によって、地上チューナ部２の回路での反射等によって発生した不要信号も減衰されるので、このような不要信号による衛星チューナ部１への影響も抑制される。
【００４９】
次に本発明にかかる受信装置における信号のやり取りについて図面を参照して説明する。図３Ａは衛星チューナ部で分岐された衛星放送信号の概略図であり、図３Ｂは衛星放送用アッテネータ回路を通過した後の衛星放送信号の概略図であり、図３Ｃは第２ハイパスフィルタを通過した後の衛星放送信号の概略図である。また、図４Ａは地上チューナ部で分岐された地上放送信号の概略図であり、図４Ｂは地上放送用アッテネータ回路を通過した後の地上放送信号の概略図であり、図４Ｃは第２ローパスフィルタを通過した後の地上放送信号の概略図である。さらに、図５Ａは衛星放送信号と地上放送信号とを合成した合成信号の概略図であり、図５Ｂは出力用アッテネータ回路を通過した合成信号の概略図である。
【００５０】
図３Ａに示すように、衛星チューナ部１から出力された衛星放送信号の信号波形は、衛星放送の周波数帯域（約９００ＭＨｚ〜約２．１ＧＨｚ）よりも低い周波数の信号がカットされている。
【００５１】
そして、衛星チューナ部１から出力された衛星放送信号は、衛星放送用アッテネータ回路３１に入力する。図３Ｂにおいて、破線はゲイン調整前の衛星放送信号であり、実線が衛星放送用アッテネータ回路３１を通過した衛星放送信号である。衛星放送信号は、衛星放送用アッテネータ回路３１を通過することで、ゲイン調整される（出力が減衰される）。そして、ゲイン調整された衛星放送信号は、第２ハイパスフィルタ３２に送られる。第２ハイパスフィルタ３２を通過することで、衛星放送の周波数帯域よりも低い周波数の信号成分がカットされる。また、第２ローパスフィルタ３４で衛星放送の周波数帯域の信号成分は反射される。
【００５２】
これにより、接合部３５に入力する衛星放送信号は、図３Ｃに示すような信号になる。図３Ｃに示すように、衛星放送信号は低周波成分がカットされる。また、衛星放送の周波数帯域の信号成分は、第２ハイパスフィルタ３２を通過した信号と第２ローパスフィルタ３４で反射した成分とが合成されている。
【００５３】
図４Ａに示すように、地上チューナ部２から出力された地上放送信号の信号波形は、地上放送の周波数帯域（約９０ＭＨｚ〜約８００ＭＨｚ）よりも高い周波数の信号がカットされている。
【００５４】
そして、地上チューナ部２から出力された地上放送信号は、地上放送用アッテネータ回路３３に入力する。図４Ｂにおいて、破線はゲイン調整前の地上放送信号であり、実線が地上放送用アッテネータ回路３３を通過した地上放送信号である。地上放送信号は、地上放送用アッテネータ回路３３を通過することで、ゲイン調整される（出力が減衰される）。そして、ゲイン調整された地上放送信号は、第２ローパスフィルタ３４に送られる。第２ローパスフィルタ３４を通過することで、地上放送の周波数帯域よりも高い周波数の信号成分がカットされる。また、第２ハイパスフィルタ３２で地上放送の周波数帯域の信号成分は反射される。
【００５５】
これにより、接合部３５に入力する地上放送信号は、図４Ｃに示すような信号になる。図４Ｃに示すように、地上放送信号は高周波成分がカットされる。また、地上放送の周波数帯域の信号成分は、第２ローパスフィルタ３４を通過した信号と第２ハイパスフィルタ３２で反射した成分とが合成されている。
【００５６】
接合部３５には、第２ハイパスフィルタ３２から出力された衛星放送信号（図３Ｃ参照）と、第２ローパスフィルタ３４から出力された地上放送信号（図４Ｃ参照）とが入力される。衛星放送の周波数帯域と地上放送の周波数帯域とが重なっていないため、接合部３５で衛星放送信号と地上放送信号とが合成され、合成信号が生成される（図５Ａ参照）。図５Ａに示す合成信号では、高周波帯域に衛星放送の信号成分（衛星放送信号成分）と低周波帯域に地上放送の信号成分（地上放送信号成分）とを含む信号となっている。
【００５７】
ここで、衛星放送用アッテネータ回路３１及び地上放送用アッテネータ回路３３は、衛星放送信号の出力レベルＬｖ１と地上放送信号の出力レベルＬｖ２とが一致する又は略一致するように各信号のゲイン調整を行っている。そのため、図５Ａに示す合成信号では、衛星放送信号成分の出力レベルＬｖ１と地上放送信号成分の出力レベルＬｖ２とが略一致している。
【００５８】
そして、接合部３５で合成された合成信号は、出力用アッテネータ回路３６を通過することで、外部機器に対応した出力レベルとなるようにゲイン調整され（図５Ｂ参照）、ループスルー出力部３０より外部に出力される。なお、出力用アッテネータ回路３６を通過した合成信号に衛星放送の周波数帯域及び地上放送の周波数帯域から外れた信号成分が含まれる場合がある。この場合、衛星放送の周波数帯域と地上放送の周波数帯域との周波数帯域を通過するバンドパスフィルタを用いて、不要な周波数成分をカットしてもよい。
【００５９】
以上に示したようなループスルー回路を備えていることで、信号を合成するための特殊な回路を用いることなく、周波数帯域の異なる信号を合成することができる。これにより、受信装置を小型化することができるとともに、回路構成を簡略化することができるため、製造コストを低く抑えることが可能である。
【００６０】
なお、本実施形態において、ループスルー回路３は、第１回路部３Ａ及び第２回路部３Ｂのそれぞれに、アッテネータ回路及びフィルタを含む信号規制手段を備えているがこれに限定されない。例えば信号規制手段は、第１回路部３Ａ又は第２回路部３Ｂのいずれかに備えられていてもよい。どちらか一方に信号規制手段を備える場合、アイソレーションが特に必要なチューナ部が接続されている側の回路部に備えられていることが好ましい。
【００６１】
さらに、本実施形態において、信号規制手段として、アッテネータ回路及びフィルタを備えたものを挙げているが、これに限定されるものではなく、アッテネータ回路又はフィルタ回路の一方だけを備えているものであってもよい。
【００６２】
（第２実施形態）
本発明にかかる受信装置の他の例について図面を参照して説明する。図６は本発明にかかる受信装置の他の例を示すブロック図であり、図７は図６に示す受信装置で出力される合成信号を示す概略図である。図６に示す受信装置Ｂは、ループスルー回路３に移相器３７、３８が取り付けられている以外は、受信装置Ａと同じ構成を有しており、実質上同じ部分には同じ符号を付すとともに、同じ部分の詳細な説明は省略する。図７において、破線は移相器を備えていない受信装置の出力信号であり、実線は移相器を備えている受信装置の出力信号である。
【００６３】
図６に示すように、第２ハイパスフィルタ３２と接合部３５との間に第１移相器３７が備えられているとともに、第２ローパスフィルタ３４と接合部３５との間に第２移相器３８が備えられている。
【００６４】
第１移相器３７は、地上放送信号の周波数帯域の信号（ここでは、８００ＭＨｚ以下の信号）に対して、分岐点３５から見たインピーダンスをハイインピーダンス（Ｈｉ−Ｚ）にする回路である。そのため、接合部３５から第１回路部３Ａに地上放送信号が入射したとき、第１移相器３７で反射される。なお、ハイパスフィルタ３２の前に第１移相器３７を設けた状態は、第１移相器の無い場合に比べ、接合部３５から見た地上放送信号の周波数帯域の信号に対する反射特性が良好である。そのため、第１回路部３Ａに入力した地上放送信号は効率よく反射されるので、地上放送信号の無駄が減る。
【００６５】
第２移相器３８は、衛星放送信号の周波数帯域の信号（ここでは、９００ＭＨｚ以上の信号）に対して、分岐点３５から見たインピーダンスをハイインピーダンス（Ｈｉ−Ｚ）にする回路である。そのため、接合部３５から第２回路部３Ｂに衛星放送信号が入射したとき、第２移相器３８で反射される。なお、ローパスフィルタ３４の前に第２移相器３８を設けた状態は、第２移相器の無い場合に比べ、接合部３５から見た衛星放送信号の周波数帯域の信号に対する反射特性が良好である。そのため、第２回路部３Ｂに入力した衛星放送信号は効率よく反射されるので、衛星放送信号の無駄が減る（第２回路部３Ｂ側でカットされにくくなる）。
【００６６】
このように、第１移相器３７及び第２移相器３８を用いることで、衛星放送信号及び地上放送信号を合成した合成信号の出力のロスを低減することができる。
【００６７】
なお、上述したような移相器として、パターンコイル、コンデンサ、マイクロストリップライン等を用いる従来よく知られたものを挙げることができる。また、移相器の代わりにマッチング回路を用いて、通過を抑えたい周波数帯域をハイインピーダンス（Ｈｉ−Ｚ）にするようにしてもよい。
【００６８】
（第３実施形態）
本発明にかかる受信装置を利用した機器について図面を参照して説明する。図８は本発明にかかる受信装置を利用した機器の一例であるセットトップボックスの概略図である。セットトップボックスは、衛星放送及び地上放送の復号化された信号をそれぞれ独立した信号として、外部機器に送るとともに、衛星放送信号と地上放送信号の合成信号を、別の外部機器に送るチューナユニットである。本実施形態にかかるセットトップボックスＳＴＢは、第１実施形態にかかる受信装置Ａを備えているものとする。なお、セットトップボックスＳＴＢでは、受信装置Ａと同じ部分には同じ符号を付している。
【００６９】
図８に示すようにセットトップボックスＳＴＢは、テレビ受信機Ｍｎのように、衛星信号入力部Ｔ１と、地上信号入力部Ｔ２の両方を備えた外部機器に復号化された信号を供給する。また、光ディスク装置Ｏｄのように、衛星放送信号と地上放送信号との合成信号を受信できる合成信号入力部Ｏ１を備えた外部機器に合成信号を供給する。
【００７０】
セットトップボックスＳＴＢでは、衛星放送入力部１１に衛星放送信号を受信する衛星アンテナＰｂ（例えば、パラボラアンテナ）が接続されている。また、地上放送入力部２１に地上放送信号を受信する地上アンテナＡｎｔが接続されている。なお、衛星放送入力部１１及び地上放送入力部２１と衛星アンテナＰｂ及び地上アンテナＡｎｔとの接続は同軸ケーブルで行われるものを挙げることができるが、これに限定されない。
【００７１】
さらに、セットトップボックスＳＴＢのループスルー出力部３０は、光ディスク装置Ｏｄの衛星放送信号と地上放送信号の合成信号を入力できる合成信号入力部Ｏ１に接続されている。なお、ループスルー出力部３０と合成信号入力部Ｏ１の接続は同軸ケーブルで行われるものを挙げることができるが、これに限定されない。
【００７２】
このように、本発明にかかる受信装置を用いたセットトップボックスＳＴＢを用いることで、衛星放送用の入力部と地上放送用の入力部を別途備えた外部機器に衛星放送信号及び地上放送信号を送信することが可能である。そして、合成信号が入力可能な外部機器にも衛星放送信号及び地上放送信号の合成信号を送信することが可能である。
【００７３】
本実施形態において、本発明にかかる受信装置の利用例として、セットトップボックスを挙げているが、これに限定されるものではない。例えば、光ディスク装置等の記録再生装置やテレビ受像機等のチューナユニットとして利用することも可能である。
【００７４】
上述の各実施形態に示した受信装置では、衛星放送信号と地上放送信号との２つの周波数帯域の異なる信号を受信するものとしているが、これに限定されるものではない。例えば、３つ以上の異なる周波数帯域の信号を受信し、各信号を合成して出力する構成であってもよい。なお、受信装置で受信する放送信号の周波数帯域は、重ならないようになっていることはもちろんである。
【００７５】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００７６】
本発明は、２以上の異なる周波数帯域の信号を受信するとともに、他の外部機器に信号を出力する（ループスルー出力する）機器、例えば、テレビ受像機、記録再生装置、セットトップボックス等に利用することが可能である。
【符号の説明】
【００７７】
Ａ、Ｂ  受信装置
１  衛星チューナ部
１１  衛星放送入力部
１２  衛星放送フィルタ
１３  アンプ
１４  衛星放送分配器
１４１  第１端子
１４２  第２端子
１５  衛星チューナ
１６  衛星放送出力部
２  地上チューナ部
２１  地上放送入力部
２２  地上放送フィルタ
２３  アンプ
２４  地上放送分配器
２４１  第１端子
２４２  第２端子
２５  地上チューナ
２６  地上放送出力部
３  ループスルー回路
３０  ループスルー出力部
３Ａ  第１回路部
３Ｂ  第２回路部
３１  衛星放送用アッテネータ回路
３２  第２ハイパスフィルタ
３３  地上放送用アッテネータ回路
３４  第２ローパスフィルタ
３５  接合部
３６  出力用アッテネータ回路
３７  第１移相器
３８  第２移相器
ＳＴＢ  セットトップボックス
Ｍｎ  テレビ受信機
Ｏｄ  光ディスク装置
Ｐｂ  衛星アンテナ
Ａｎｔ  地上アンテナ
【図１】
2015023432.tif 000003
【図２】
2015023432.tif 000004
【図３Ａ】
2015023432.tif 000005
【図３Ｂ】
2015023432.tif 000006
【図３Ｃ】
2015023432.tif 000007
【図４Ａ】
2015023432.tif 000008
【図４Ｂ】
2015023432.tif 000009
【図４Ｃ】
2015023432.tif 000010
【図５Ａ】
2015023432.tif 000011
【図５Ｂ】
2015023432.tif 000012
【図６】
2015023432.tif 000013
【図７】
2015023432.tif 000014
【図８】
2015023432.tif 000015